(57)【要約】【課題】受贈者の感情、主として快感情を効果的に喚起することができる商品の提供方法、贈答キット、商品の提供システムを提供すること。【解決手段】本発明は、贈答者から受贈者への商品の提供方法である。本提供方法は、芳香を有する第１物品を受贈者に提供する第１ステップと、第１物品の芳香と同一の芳香を有する第２物品を提供する第２ステップとを有している。第１物品は、第２物品と異なる物品であり、受贈者に芳香を知覚させつつ、該受贈者に嗅覚以外の感覚刺激を付与して、該受贈者の感情を喚起し得るように構成されている。【選択図】図１
2020107197.tif 000002
【特許請求の範囲】
【請求項１】
贈答者から受贈者への商品の提供方法であって、
芳香を有する第１物品を受贈者に提供する第１ステップと、
第１物品の芳香と同一の芳香を有する第２物品を提供する第２ステップとを有し、
第１物品は、第２物品と異なる物品であり、受贈者に芳香を知覚させつつ、該受贈者に
嗅覚以外の感覚刺激を付与して、該受贈者の感情を喚起し得るように構成されている、商品の提供方法。
【請求項２】
嗅覚以外の感覚刺激は、視覚的な刺激を含む、商品の提供方法。
【請求項３】
第１物品は、前記贈答者又は前記受贈者によって完成されたものである、請求項１に記載の商品の提供方法。
【請求項４】
第１物品が、第２物品を梱包する梱包容器の全体又は一部である、請求項３に記載の商品の提供方法。
【請求項５】
第１物品が、本来的に芳香を有するものである、請求項１〜３の何れか１項に記載の商品の提供方法。
【請求項６】
第１物品が有する芳香が、使用状態における第２物品の芳香と同じになるように調整されている、請求項１〜５の何れか１項に記載の商品の提供方法。
【請求項７】
芳香を有する第１物品、及び前記芳香と同一の芳香を有する第２物品を備え、贈答者から受贈者へ提供される贈答キットであって、
第１物品は、第２物品と異なる物品であり、受贈者に該第１物品の芳香を知覚させつつ、該受贈者の感情を喚起し得るように構成されている、贈答キット。
【請求項８】
第１物品が有する芳香が、使用状態における第２物品の芳香と同じになるように調整されている、請求項７に記載の贈答キット。
【請求項９】
イベントの主催者から参加者への商品の提供方法であって、
前記イベント後に、該イベントに関連する芳香を有する物品を参加者に提供するステップを有し、
前記物品が、参加者に前記芳香を知覚させることによって、前記イベントに参加した際の感情を喚起させ得るように構成されている、商品の提供方法。
【請求項１０】
前記イベントに関連する芳香が、該イベントの会場で前記参加者に知覚可能に放出された芳香成分と同一の芳香である、請求項９に記載の商品の提供方法。
【請求項１１】
前記物品が有する芳香が、該物品の使用状態において、前記芳香成分の芳香と同じになるように調整されている、請求項１０に記載の商品の提供方法。
【請求項１２】
前記イベントに関連する芳香が、該イベントを通じて参加者が作成した創作物と同一の芳香である、請求項９に記載の商品の提供方法。
【請求項１３】
イベントの主催者から参加者へ物品を提供する商品の提供システムであって、
イベントの会場に設置される装飾品が有する芳香の情報を記憶する装飾品情報記憶手段と、
物品が有する芳香の情報を記憶する物品情報記憶手段と、
前記装飾品が有する芳香の情報と、前記物品が有する芳香の情報とに基づき、前記装飾品の芳香と同一の芳香を有する物品を提案する、物品提案手段とを具備する、商品の提供システム。
【請求項１４】
イベントの主催者から参加者へ物品を提供する商品の提供システムであって、
イベントの会場に設置される装飾品が有する芳香の情報を記憶する装飾品情報記憶手段と、
物品が有する芳香の情報を記憶する物品情報記憶手段と、
前記装飾品が有する芳香の情報と、前記物品が有する芳香の情報とに基づき、物品の芳香と同一の芳香を有する装飾品を提案する、装飾品提案手段とを具備する、商品の提供システム。
【発明の詳細な説明】
【技術分野】
【０００１】
本発明は、商品の提供方法、贈答キット、及び商品提供システムに関する。
【背景技術】
【０００２】
パブロフによる犬の実験のように、複数の感覚刺激を組み合わせて付与することによって、これらの刺激が紐付いて、特定の生理的、心理的、行動的な反応を引き起こせるようになる、連合学習という心的メカニズムが存在する。本発明者らは、このような心的メカニズムを利用し、同時に提示された香りとイメージ画像との間に連合を予め成立させて、その連合が維持されている間に、前記香りを知覚させながら商品を使用させる、商品の官能特性改善方法を提案している（特許文献１）。
【０００３】
また、香りを知覚する嗅覚は、五感の中で唯一、視床下部を経ずに感情を創り出す扁桃体、海馬といった大脳辺縁系に直接的に作用するので、他の感覚に比べて感情への関与が強く、様々な感情の喚起に関与することが知られている。嗅覚刺激がもたらす前記の心的メカニズムとして、子どもの頃に母親が使用していた香水の香りによって、母の面影や優しさとともに、好ましく愛情深い気分をかき立てられるという事例がある。これとは逆に、子どもの頃に苦手にしていた年上の女性がその香水を使用していたため、当該香水の香りを嗅いで不快な気持ちが喚起されるという事例がある。このように、特定の匂いを知覚することによって、過去の記憶や感情が蘇る現象は、プルースト効果と呼ばれており、当該効果を利用した技術が提案されている（特許文献２及び３）。
【先行技術文献】
【特許文献】
【０００４】
【特許文献１】特開２００８−１４５９３３号公報
【特許文献２】特開２０１６−１９９０９８号公報
【特許文献３】特開２０１７−６９７６９号公報
【発明の概要】
【発明が解決しようとする課題】
【０００５】
ところで、贈り物（ギフト）は、人と人との間の潤滑油として、即ちコミュニケーション手段の一つとして、贈答者の気持ちを、贈り物の製品と共に受け手に伝える上で、重要な役割を担っている。ギフトは、贈答者の経験や一般的な常識等に基づいて選択される日用品であることが多い。このような日用品は、受贈者にとって求めていない製品や平凡に感じられる製品であったり、あるいは不快なものと受け取られたりすることがあり、ギフトを贈ることによって、受贈者を喜ばせたり、感謝や祝いの気持ちを伝えたりすることが確実ではなかった。これに対し、ギフトに特定の芳香を付与して、ギフトの価値を高めることが考えられるが、ギフトに付された芳香が、受贈者にとって不快な感情や記憶と結びついていると、該受贈者を喜ばせることができない場合がある。特許文献１〜３は、受贈者の感情、主として喜び、幸福感、満足感等の快感情を喚起し得る、ギフトの贈答方法を開示するものではない。
【０００６】
したがって本発明は、前述した従来技術が有する欠点を解消し得る商品の提供方法、贈答キット、及び商品提供システムを提供することにある。
【課題を解決するための手段】
【０００７】
本発明は、贈答者から受贈者への商品の提供方法であって、芳香を有する第１物品を受贈者に提供する第１ステップと、第１物品の芳香と同一の芳香を有する第２物品を提供する第２ステップとを有し、第１物品は、第２物品と異なる物品であり、受贈者に芳香を知覚させつつ、該受贈者に嗅覚以外の感覚刺激を付与して、該受贈者の感情を喚起し得るように構成されている、商品の提供方法を提供するものである（以下、この発明を第１発明ともいう）。
【０００８】
また、本発明は、芳香を有する第１物品、及び前記芳香と同一の芳香を有する第２物品とを備え、贈答者から受贈者へ提供される贈答キットであって、第１物品は、第２物品と異なる物品であり、受贈者に該第１物品の芳香を知覚させつつ、該受贈者の感情を喚起し得るように構成されている、贈答キットを提供するものである。
【０００９】
また、本発明は、イベントの主催者から参加者への商品の提供方法であって、前記イベント後に、該イベントに関連する芳香を有する物品を参加者に提供するステップを有し、前記物品が、参加者に前記芳香を知覚させることによって、前記イベントに参加した際の感情を喚起させ得るように構成されている、商品の提供方法を提供するものである（以下、この発明を第２発明ともいう）。
【００１０】
また、本発明は、イベントの主催者から参加者へ物品を提供する商品の提供システムであって、イベントの会場に設置される装飾品が有する芳香の情報を記憶する装飾品情報記憶手段と、物品が有する芳香の情報を記憶する物品情報記憶手段と、前記装飾品が有する芳香の情報と、前記物品が有する芳香の情報とに基づき、前記装飾品の芳香と同一の芳香を有する物品を提案する、物品提案手段とを具備する、商品の提供システムを提供するものである（以下、この発明を第３発明ともいう）。
【００１１】
また、本発明は、イベントの主催者から参加者へ物品を提供する商品の提供システムであって、イベントの会場に設置される装飾品が有する芳香の情報を記憶する装飾品情報記憶手段と、物品が有する芳香の情報を記憶する物品情報記憶手段と、前記装飾品が有する芳香の情報と、前記物品が有する芳香の情報とに基づき、物品の芳香と同一の芳香を有する装飾品を提案する、装飾品提案手段とを具備する、商品の提供システムを提供するものである（以下、この発明を第４発明ともいう）。
【発明の効果】
【００１２】
本発明によれば、物品を受贈者に提供することで、受贈者の感情、主として快感情を効果的に喚起することができる。
【図面の簡単な説明】
【００１３】
【図１】図１（ａ）〜（ｃ）は、本発明の第１発明である商品の提供方法の一実施態様を示す説明図である。
【図２】図２（ａ）及び（ｂ）は、第１発明の提供方法の別の実施態様を示す説明図である。
【図３】図３（ａ）〜（ｃ）は、第１発明の商品の提供方法のさらに別の実施態様を示す説明図である。
【図４】図４（ａ）〜（ｃ）は、本発明の第２発明である商品の提供方法の一実施態様を示す説明図である。
【図５】図５（ａ）〜（ｃ）は、第２発明の提供方法の別の実施態様を示す説明図である。
【図６】図６（ａ）〜（ｃ）は、第２発明の商品の提供方法のさらに別の実施態様を示す説明図である。
【図７】図７は、第３発明及び第４発明の商品の提供システムの一実施形態を示すブロック図である。
【図８】図８は、図７に示す商品の提供システムの動作を示すフローチャート図である。
【図９】図９は、図７に示す商品の提供システムの別動作を示すフローチャート図である。
【図１０】図１０（ａ）及び（ｂ）は、実施例１及び比較例１における受贈者の気分等の評価結果を示すグラフである。
【図１１】図１１（ａ）及び（ｂ）は、実施例１及び比較例１における受贈者の健康面の評価結果を示すグラフである。
【発明を実施するための形態】
【００１４】
以下、本発明の商品の提供方法である、第１発明をその好ましい実施態様に基づき、図面を参照しながら説明する。第１発明の商品の提供方法は、贈答者から受贈者への商品の提供方法であり、第１物品を受贈者に提供する第１ステップと、第２物品を受贈者に提供する第２ステップとを有している。第１ステップと第２ステップは同時に行われても良いが、第１ステップの後に第２ステップが行われることが好ましい。本実施形態において、受贈者Ａ１は、第１ステップにて第１物品を受け取った後、第２ステップにて第２物品を受け取る〔図１（ａ）及び（ｂ）参照〕。本実施態様において、図１（ａ）に示すアルバム１０が第１物品であり、図１（ｂ）に示す贈答品（ギフト）２０が第２物品である。
【００１５】
第１ステップについて説明する。第１ステップにおいて受贈者Ａ１に提供される第１物品は、芳香を有している。本実施態様の第１物品は、単一又は複数種類の芳香成分が付与されている。「芳香成分が付与されている」第１物品としては、例えば、原料や構成部材に芳香成分が含まれた芳香含有物品、芳香成分を放出可能に香料を保持する保持部を備えた、芳香部付設物品等が挙げられる。
【００１６】
芳香成分としては、大気圧下で大気中に揮発するものを特に制限なく用いることができる。例えば常温常圧の環境下でその香気を知覚し得るもの等を用いることができる。また、芳香成分を含む香料を用いてもよい。前記香料としては、調合香料、天然香料の何れでもよい。具体的には、『香料と調香の基礎知識』（中島基貴編著，産業図書株式会社，１９９５年６月２１日初版）、『合成香料−化学と商品知識』（合成香料編集委員会  編集、化学工業日報社、２０１６年１２月２０日増補新版）、『Perfume and Flavor Chemicals」（ステファン・アークテンダー著、自費出版、１９６９年）に記載されている香料等を使用することができる。また、前記香料には、「複数の香料によって構成される香料素材が組み合わされたもの（香料組成物）で、溶剤によって希釈・調整されたもの」が含まれる。例えば、香料として、バラ、ラベンダー、ジャスミン、イランイラン様の香気を有する香料組成物を用いることができる。
【００１７】
本実施態様における第１物品のアルバム１０は、前述の芳香部付設物品である。アルバム１０は、当該アルバムを構成するページが、部分的に切り抜かれており、その切り抜かれた部分に、芳香成分を放出可能に香料を保持する保持部１１が設けられている〔図１（ａ）参照〕。本実施態様における保持部１１は、芳香成分又は香料を保持し得る保持体と、該保持体を収容し、且つ保持体から揮発する芳香成分を放出可能に構成されている収容部とを具備している（不図示）。保持体としては、不織布、ケイ酸カルシウムからなる成形体等を用いることができる。保持部は、外部に通じる孔を有し、該孔を通じて芳香成分を放出可能なものであってもよい。また保持部は、芳香成分が放出される状態と放出されない状態との切り替えが可能な機構を備えたものであってもよい。
【００１８】
第１物品は、芳香部付設物品に代えて、芳香含有物品であってもよい。芳香含有物品は、その原料に芳香成分又は香料を練り込んだり、芳香成分又は香料を含む溶液に該物品の原料又は構成部材を含浸させたり、あるいは前記溶液を該物品の原料又は構成部材に噴霧することによって、芳香成分を含有させたものである。例えば、図１（ａ）に示すアルバム１０が芳香含有物品である場合、当該アルバムを構成する紙素材が、芳香成分又は香料を含む溶液に含浸後に乾燥して得られたものであってもよく、前記溶液を噴霧後に乾燥して得られたものであってもよい。
【００１９】
本実施態様において、贈答者は、受贈者Ａ１の近親者である、受贈者Ａ１の子どもである。贈答者としては、受贈者Ａ１の親、祖父母、子、孫、親戚等の近親者、友人、職場の同僚、近所の住人、恩師、教え子等、受贈者と面識のある者が挙げられるが、これに限定されない。例えば、贈答者は、自然人に限られず、第２物品を製造する会社等の法人であってもよい。
【００２０】
本実施態様の第１物品であるアルバム１０は、受贈者Ａ１の近親者、より詳細には受贈者の子ども及び孫の写真と、その写真に関連する情報が掲載されている。写真に関連する情報としては、写真を撮影するきっかけとなった行事（イベント）や記念日等の事象に関する記述、子ども及び孫の受贈者Ａ１に対するメッセージ等、子ども及び孫の心情や状況を把握し得る記述やイラスト等が挙げられる。
第１ステップにて、アルバム１０を受け取った受贈者Ａ１は、アルバム１０の保持部によって、芳香を知覚しつつ、アルバム１０のページをめくって、該アルバムに掲載された写真を眺めたり、写真に関連する記述を読むことで、通常、家族や親族への優しさや愛情、癒し等を感じ、これにより喜び、感動、恋しさ等の感情（主として快感情）が喚起される。このように、第１物品は、受贈者Ａ１に芳香を知覚させつつ、該受贈者Ａ１に嗅覚以外の感覚刺激を付与して、該受贈者の感情を喚起し得るように構成されている。
【００２１】
次に第２ステップについて説明する。第２ステップにおいて受贈者Ａ１に提供される第２物品は、第１物品の芳香と同一の芳香を有している。「第１物品の芳香と同一の芳香を有する」とは、第１物品が有する芳香を構成する芳香成分と同一の芳香成分を有することだけでなく、第１物品が有する芳香を構成する芳香成分と異なるが、当該芳香と同等の芳香を呈する芳香成分を有することを包含する。即ち、第１物品の芳香と、第２物品の芳香とは、受贈者が同一の芳香と知覚し得るものであればよく、同一の芳香成分を含む場合及び同一の芳香成分を含まないが、同一の芳香と知覚し得る場合が含まれる。第１物品の芳香と、第２物品の芳香とは、メインノートが同じ香調で表現される芳香であることが好ましい。香調とは、香りの性格を体系的に分類できる機能をもつ表現を意味し、複数のメインノート、及びメインノートを更に分類する複数のサブノートから構成される。メインノートとしては、例えばシトラス、アルデハイディック、グリーン、フルーティ、ハーバル、アロマティック、スパイシー、フローラル、ウッディ、アーシー、モス、バルサミック、ハニー、レザー、アニマリック、アンバー、ムスキーなどが挙げられる。更に、例えば、フローラルをメインノートとする香料成分は、サブノートとしてミューゲ、ジャスミン、ローズ、リリアック、イランイランなどのサブノートなど有していてもよい。
【００２２】
第２物品は、使用前及び使用時に、第１物品の芳香と同一の芳香を呈するものであってもよく、使用時に第１物品の芳香と同一の芳香を呈するものであってもよい。また、第２物品は、それを使用することによって、該第２物品の使用対象物に第１物品の芳香と同一の芳香を付与するものであってもよい。第２物品としては、通常、芳香を有する贈答品として贈られる物品を好ましく用いることができる。例えば、衣料用洗剤、柔軟剤、漂白剤、食器用洗剤、入浴剤、毛髪化粧料、皮膚化粧料、香水類、芳香剤等や、これら２以上を組み合わせたセット製品等が挙げられる。
【００２３】
本実施態様において第２物品は、受贈者Ａ１に提供された贈答品２０であり〔図１（ｂ）参照〕、入浴剤を含んでいる。この入浴剤は、アルバム１０の芳香と同一の芳香を有している。このように第１物品は、第２物品と異なる物品である。
【００２４】
第２ステップ後、受贈者Ａ１は、第２物品である入浴剤を使用する〔図１（ｃ）参照〕。入浴剤を使用すると、浴槽内の湯船が、第１物品であるアルバム１０と同一の芳香を呈する。この入浴剤の使用状態において、受贈者Ａ１は、アルバム１０と同一の芳香を知覚することで、プルースト効果によりアルバム１０を眺めた時の記憶や前記の感情（主として快感情）が効果的に喚起される。これにより、受贈者Ａ１は、リラックスした良好な気分になり易くなるとともに、第２物品（入浴剤）に対しポジティブな印象を抱き易くなる。その結果、第２物品（入浴剤）の使用が促進されたり、あるいは第２物品（入浴剤）の購入意欲を向上させることができる。
また、本実施態様において、第２物品は入浴剤を含んでいたが、第２物品が日用品であると、日常生活で第２物品を使用する場面が生じ、前記の快感情によって、日々の生活に活力を感じ易くなるとともに、家事や入浴等の日常の活動を積極的に行なって、生活の質を向上し得る。さらに、日々の生活に活力を感じ易くなると、睡眠や疲れ等に関する、受贈者の健康面に良好な影響を与え得る。日用品の中でも、入浴において使用するもの、例えば入浴剤、シャンプー、リンスなどが第２物品であれば、入浴というリラックスした状態で香りを感じることになるので、前記の良好な影響がより一層発揮される。また、洗剤や芳香剤が第２物品であれば、一日の中で前記の良好な影響がある香りを繰り返し感じることになるので好ましい。
【００２５】
第１物品は、前述したように、受贈者に嗅覚以外の感覚刺激を付与するものである。嗅覚以外の感覚刺激は、視覚、味覚、触覚、聴覚、又はこれら感覚を組み合わせた刺激であってもよい。例えば、本実施態様の第１物品であるアルバム１０に関し、受贈者Ａ１は、写真や記述を眺めて、視覚的な刺激を受けるとともに、ページをめくって、触覚的な刺激を受ける。前記の感情をより効果的に喚起させる観点から、第１物品は、受贈者に視覚的な刺激を付与するものであり、その視覚的な刺激により該受贈者の感情を喚起し得るものであることが好ましい。
【００２６】
前記の感情をより効果的に喚起させる観点から、第１物品は、受贈者に簡単な動作をさせるように構成されていることが好ましい。第１物品によって、簡単な動作を行うと、第１物品により付与される刺激によって形成される記憶を形成し易くする点で有利である。簡単な動作とは、能動的な指先運動や身体運動である。前記の指先運動としては、字を書く、絵を描く、ページをめくる、食器を使う、パソコンやスマートフォン等の情報端末を操作する等の動作が挙げられる。前記の身体運動としては、立つ、歩く、しゃがむ、持つ等である。
上記の点を踏まえると、第１物品は、受贈者に嗅覚以外の感覚刺激を付与するか、あるいは簡単な動作をさせるように構成されていることが好ましく、受贈者に嗅覚以外の感覚刺激を付与し、且つ簡単な動作をさせるように構成されていることがより好ましい。
【００２７】
第１物品は、前述したように、受贈者に嗅覚以外の感覚刺激を付与して、受贈者の感情を喚起し得るように構成されている。この構成を、感情喚起構成ともいう。快感情をより効果的に喚起させる観点から、感情喚起構成は、受贈者の快感情と紐付けられ得る事項、換言すれば、受贈者がポジティブな印象を抱く情報を含んでいることが好ましい。受贈者の快感情と紐付けられ得る事項としては、受贈者の家族関係、経歴、趣味、嗜好性等を勘案して、設定することができる。
【００２８】
本実施態様において第１物品であるアルバム１０は、受贈者の快感情と紐付けられ得る事項を、付加的に含んでいる。受贈者の快感情と紐付けられ得る事項を付加的に含む第１物品とは、本来、当該事項を含んでいなかった物品であり、当該事項を含むように加工され、完成したものを意味する。例えば、アルバム１０は、写真等の、受贈者の家族関係に関連する情報が掲載されて完成に至る物品である。受贈者の快感情と紐付けられ得る事項を付加的に含む第１物品としては、アルバム等の写真帳、日記帳、スケジュール帳、写真立て、カレンダー等が挙げられる。
【００２９】
本実施態様の第１物品であるアルバム１０に掲載されている内容は、贈答者である、受贈者の子どもによって作成されたものである。具体的には、アルバム１０に掲載されている写真は、贈答者が選択したものであり、写真に関連する情報、例えば、メッセージやイラスト等は贈答者が作成したものである。第１物品が、贈答者によって完成されたものであると、贈答者の気持ちが込められているように印象付けられるので、受贈者の感情を喚起し易くなる点で好ましい。これと同様の観点から、第１物品は、受贈者によって完成されたものであることが好ましい。例えば、第１物品であるアルバムに、受贈者が作成した俳句、絵等の創作物が掲載されていてもよい。
【００３０】
第１発明において、受贈者は、第２物品よりも先に、第１物品を認識していればよい。即ち、第１物品が、第２物品よりも先に、受贈者に届いてもよく、第１物品と第２物品とが同時に、受贈者の元に届いていてもよい。例えば、図２に示す態様では、第１物品が、第２物品を梱包する梱包容器の一部であり、第１及び第２物品が一体となって贈答品２２を構成している。図２に示す態様において、第２物品は、入浴剤を含んでいる。第１物品は、箱状であり、第２物品（入浴剤）を収容する容器本体部１２ｂと蓋体１２ａとで構成されている。この蓋体１２ａには、芳香が付与されている。前記蓋体１２ａの表面には、受贈者Ａ２の孫が作成した絵が貼付又は印刷されている。第２物品は、第１物品をその一部として有する梱包容器に梱包された状態で受贈者Ａ２に届けられる。受贈者Ａ２は、梱包容器に付与された芳香を知覚しつつ、第２物品よりも先に、第１物品である梱包容器の蓋体１２ａの表面に注目することで、孫が作成した絵を認識する。これにより、受贈者Ａ２は、孫への愛情等を感じて、快感情が喚起される。また、受贈者は、第２物品である入浴剤を使用した際、第２物品が呈する、第１物品と同一の芳香を知覚することによって、前記蓋体１２ａの表面にある絵を思い出し、快感情が喚起される〔図２（ｂ）参照〕。第１物品は、前記梱包容器の一部を構成していてもよく、該梱包容器の全体を構成していてもよい。梱包容器としては、容器本体と、該容器本体の開口部を開閉する蓋体とを有する箱体、又は紙や樹脂性の柔軟なシート材からなる包装袋等が挙げられる。梱包容器の材質は、ダンボール、合成樹脂、木材、及びこれらの２以上の組み合わせたもの等が挙げられる。
【００３１】
前述した実施態様において、第１物品は、芳香成分が付与されたものであったが、第１物品は、本来的に芳香を有するものであってもよい。本来的に芳香を有するものとしては、花、果実、ハーブ等の草木、樹木、芳香を有する植物体等が挙げられる。例えば、図３に示す態様において、第１物品は、植木鉢に植えられた花卉１３と、受贈者に対するメッセージカード１４とで構成されている〔図３（ａ）参照〕。この第１物品を受け取った受贈者Ａ３は、花卉１３が有する芳香を知覚しつつ、メッセージカード１４に記載された受贈者への感謝のメッセージを読むことによって、家族への愛情等を感じて、快感情が喚起される。本実施態様において、第２物品である贈答品２４は、衣料用洗剤２５を含んでおり、該衣料用洗剤２５には花卉１３と同一の芳香が付与されている〔図３（ｂ）参照〕。この衣料用洗剤２５を使用する際、例えば、衣料用洗剤を用いて洗濯した衣類を干す際に、受贈者Ａ３は、当該衣類が呈する、花卉１３と同一の芳香を知覚することによって、第１物品を受け取った際の記憶を思い出し、快感情が喚起される〔図３（ｃ）参照〕。本実施態様において、快感情が喚起される効果は、特に花等の植物体を好む受贈者に効果的である。
【００３２】
第１発明において、第１物品が有する芳香成分を第１芳香成分とし、第２物品が有する芳香成分を第２芳香成分としたとき、第１芳香成分は、第２物品の使用状態における第２芳香成分と同じにようになるように調整されていることが好ましい。斯かる構成により、受贈者は、第１物品を受け取った際の記憶をより効果的に思い出すことができる。このように、物品の使用状態における該物品の芳香と同じになるように、他の物品が有する芳香を調整する方法を、以下、芳香調整方法ともいう。芳香調整方法としては、例えば、第２芳香成分として、第１芳香成分と同一の成分を用いること、あるいは第２芳香成分として、第１芳香成分と同一の香調を有する成分を用いることが挙げられる。また、第１芳香成分の揮発速度と、第２物品の使用状態における第２芳香成分の揮発速度とが同じになるように調整することが挙げられる。芳香成分の揮発速度は、芳香成分を溶出する溶媒の種類や、芳香成分を保持する保持体の表面積や素材によって、調整することができる。
【００３３】
芳香調整方法について詳述する。例えば、上述した図１に示す実施態様において、アルバム１０（第１物品）に付与された芳香成分と、入浴剤（第２物品）に付与された芳香成分とが同一成分であったとしても、第１物品において芳香成分を保持する保持体から知覚される芳香と、入浴剤を浴水に溶解させた際に水面から知覚される芳香とは、異なる香りの印象となり易い。これは、入浴剤の使用状態において、芳香を呈する親水性成分が、浴水に溶け込みその揮散が妨げられるため、入浴剤（第２物品）の芳香が第１物品の芳香と異なる印象になると考えられる。本発明者らは、第１物品が呈する芳香と、入浴剤や衣料用洗剤等の水に溶解させて用いられる第２物品が呈する芳香とが同じになるように、即ちこれら芳香の印象が同じになるように、種々検討した。その結果、芳香成分（香料）を水溶性溶媒に溶解させた芳香組成物を、第１物品又は該第１物品が備える保持体に付与することが有効であることを見出した。この有効性については、後述する実施例の〔芳香調整方法の試験〕にて評価することができる。前記の水溶性溶媒としては、グリセリン、プロピレングリコール、エチレングリコール、ポリエチレングリコール等の水酸基を有する溶媒が挙げられる。
【００３４】
第１物品を受け取った際の記憶の持続性の観点から、第１ステップと第２ステップとの間隔は、好ましくは２８日以内、より好ましくは２１日以内、さらに好ましくは１４日以内である。第１ステップと第２ステップとの間隔は、受贈者が第１物品を認識した後、第２物品を認識するまでの間の期間である。前記の間隔の下限値は特に制限されない。また、図２に示す態様のように、第１物品及び第２物品が同時に受贈者の元に届いてもよい。
【００３５】
第１発明の商品の提供方法は、贈答者から受贈者への贈り物（ギフト）の提供方法として好ましく用いられる。贈り物としては、冠婚葬祭や誕生日、出産、入学・卒業、進学・就職、賀の祝い等のライフイベントに伴って贈られるギフトや、中元、歳暮、クリスマス、母の日、父の日、敬老の日、バレンタインデー、ホワイトデー等の決まった時節に応じて贈られる季節のギフト、内祝いや香典返し等の返礼ギフト、旅行の土産や訪問時の手土産、身近な人への御礼・心遣い等に贈られる日常のギフト等が挙げられる。
【００３６】
第１発明における第１物品及び第２物品は、贈答キットとしてセットで流通させてもよい。即ち、この贈答キットは、贈答者から受贈者へ提供されるものであって、前述した第１物品及び第２物品を備えている。
【００３７】
上述した第１発明は、デパートやスーパーマーケット、コンビニエンスストア等の実店舗を有する小売業者、インターネット回線を介した販売を行うネットショップ業者、贈答品を配送する配送業者、第２物品を製造販売する製造業者等が、第２物品を提供するサービスとして実施してもよい。
【００３８】
例えば、小売業者が、贈答品の提供サービスとして第１発明を実施する場合、以下の方法により行う。店舗に来店した贈答者は、小売業者に贈答品の提供サービスを依頼する。依頼を受けた小売業者は、贈答者が選択した第２物品に基づき、該第２物品と同一の芳香を有する第１物品を選択する。第１物品の候補となる物品が複数ある場合は、贈答者に第１物品を選択させる。また、第１物品が贈答者又は受贈者によって完成されたものである場合、該贈答者又は受贈者に、完成に必要な作業、即ち加工を該第１物品に施してもらう。小売業者は、第１物品の製造業者や第２物品の製造業者に各物品を発注する。また、受贈者の住所や配送日を設定した上で、第１物品及び第２物品が受贈者に配送されるように、各物品を配送する配送業者等を手配する。小売業者は、第１物品が、第２物品よりも先に、受贈者に提供されるように手配する。
第１発明をネットショップ業者が行う場合、贈答者は、インターネット回線を介して、該ネットショップ業者に前記のサービスを依頼する。
第１発明の各実施形態は、コンピューター、前述の各ステップ（第１ステップ、第２ステップ）を実施するようにプログラムされたソフトウエアを備えた提供システムを用いて実施することもできる。その場合、第１物品、第２物品、又はこれら双方の提供は、当該提供に必要な情報の出力であってもよい。例えば、前述の製造業者への発注情報の出力や、前述の配送業者への配送依頼情報の出力であってもよい。
【００３９】
次に、本発明の商品の提供方法である、第２発明をその好ましい実施態様に基づき、図面を参照しながら説明する。第２発明の商品の提供方法は、図４に示すように、イベントの主催者から参加者への商品の提供方法である。第２発明の提供方法では、イベント後に、該イベントに関連する芳香を有する物品を参加者に提供するステップを有している〔図４（ｂ）参照〕。
【００４０】
本実施形態において、イベントは結婚式であり、参加者Ａ５は該結婚式の参列者、より詳細には新郎又は新婦の友人である〔図４（ａ）参照〕。結婚式の会場では、その参加者に知覚可能に芳香成分が放出されている。この「知覚可能」とは、嗅覚的に知覚可能という意味であり、参加者は、結婚式の会場で、前記芳香成分の芳香を知覚し得る。芳香成分を放出する手段は、特に制限されず、例えば、会場内に芳香成分を揮散させる芳香剤、アロマキャンドル、超音波を用いた芳香発生装置等を設置してもよく、前述した花卉等の本来的に芳香を有するものを装飾品として会場内に配置してもよい。
【００４１】
結婚式は、通常、祝福のムードに溢れ、新郎新婦やその家族だけでなく、友人等の参加者も幸福感を感じ易い。本実施形態において参加者Ａ５は、会場に放出された芳香成分の芳香を知覚しつつ、新郎新婦を祝福する幸福感を感じる。
また、結婚式等のイベントは、音楽やスピーチを聞く、ケーキ等の物品や、余興、ショーを見る等の嗅覚以外の感覚刺激が付与されることが多い。このような嗅覚以外の感覚刺激を受けるによって、参加者にイベントの記憶を形成し易い。
【００４２】
本実施形態の物品を参加者に提供するステップとして、前記の結婚式の後、参加者Ａ５には、引出物２６が贈られる〔図４（ｂ）参照〕。この引出物２６には、衣料用洗剤２７が含まれており、該衣料用洗剤２７が、第２発明において参加者に提供される物品に該当する。衣料用洗剤２７は、イベントに関連する芳香を有している。本実施態様において、物品である衣料用洗剤２７は、「イベントに関連する芳香」として、結婚式会場で参加者に知覚可能に放出された芳香成分と同一の芳香を有している。結婚式等のイベントでは、雰囲気を演出するため、装飾として花等の植物が飾られることが多い。花の種類によっては、香りを放つものがある。また、会場の雰囲気づくりとして、香りを満たす場合がある。さわやかな香り、甘い香り、濃い香り、ほんのりとした香りなど、選ばれる香りはイベントの性質に応じて様々である。このようにイベントの会場に特定の芳香が知覚されるように、香りを施すことが行われることがある。香りを施す手段としては、花のように、芳香を呈する装飾品や芳香放出装置を設置したり、香水などの芳香剤を会場に予めふりまいたりすることが挙げられる。装飾品は、花に限らず果物、食品などであってもよい。また、芳香放出装置としては、香炉や芳香具等が挙げられる。
【００４３】
前記物品として、衣料用洗剤２７を受け取った参加者Ａ５は、該衣料用洗剤２７を使用する際、例えば、衣料用洗剤２７を用いて洗濯した衣類を干す際に、当該衣類が呈する、結婚式会場に放出された芳香成分と同一の芳香を知覚する。これによって、参加者Ａ５は、結婚式に参加した際の記憶を思い出し、祝福、幸福感等の快感情が喚起される〔図４（ｃ）参照〕。このように快感情が喚起されると、前記のステップで参加者に提供された物品（衣料用洗剤２７）に対しポジティブな印象を抱き易くなり、これが当該物品の使用の促進や、当該物品の購入意欲の向上に寄与し得る。また、本実施態様のように、前記物品が日用品であると、日常生活で物品を使用する際に、前記の快感情が喚起され、日々の生活に活力を感じ易くなるとともに、家事や入浴等の日常の活動を積極的に行なって、生活の質を向上し得る。さらに、日々の生活に活力を感じ易くなると、睡眠や疲れ等に関する、受贈者の健康面に良好な影響を与え得る。日用品の中でも、入浴において使用するもの、例えば入浴剤、シャンプー、リンスなどが前記物品であれば、入浴というリラックスした状態で香りを感じることになるので、前記の良好な影響がより一層発揮される。また、洗剤や芳香剤が前記物品であれば、一日の中で前記の良好な影響がある香りを繰り返し感じることになるので好ましい。
本実施形態では、後述する商品の提供システムを好適に用いることができる。
【００４４】
物品が有する芳香が、会場で参加者に知覚可能に放出された芳香成分である場合、物品が有する芳香は、該物品の使用状態において、前記芳香成分と同じになるように調整されていることが好ましい。斯かる構成により、受贈者は、イベントに参加した際の記憶をより効果的に思い出すことができる。当該構成は、前述した芳香調整方法を用いることができる。ただし、第２発明において、前記の芳香調整方法を用いる場合、前述した「物品の使用状態における該物品の芳香と同じになるように、他の物品が有する芳香を調整する方法」の「他の物品が有する芳香」を「会場で放出された芳香成分の芳香」に代えて用いるものとする。
【００４５】
図４に示す実施態様では、物品の有する「イベントに関連する芳香」が、イベントの会場で前記参加者に知覚可能に放出された芳香成分と同一の芳香であったが、「イベントに関連する芳香」には、イベントに関連するものを特に制限なく用いることができる。そのような芳香としては、例えば、イベントの会場で放出された芳香成分の芳香、イベントの主催者や該イベントの趣旨に関連する事物の芳香、イベントの会場にて提供された事物に関連する芳香等が挙げられる。前記「イベントの会場にて提供された事物に関連する芳香」は、イベントの会場にて、参加者に提供された果物等の食品、ワイン等の酒類等の芳香と同一の芳香である。前記「イベントの主催者や該イベントの趣旨に関連する事物の芳香」は、イベントを通じて参加者が作成した創作物の芳香と同一の芳香、社会貢献活動や環境保護活動を象徴する芳香等が挙げられる。
【００４６】
前記の「イベントを通じて参加者が作成した創作物の芳香と同一の芳香」について、具体的に説明する。図５に示す実施態様では、アロマキャンドルを作成するイベントの後、参加者Ａ４に、前記物品として贈答品２８を提供する。このアロマキャンドルを作成するイベントは、参加者Ａ４が、アロマキャンドルの芳香を知覚しつつ、他の参加者と会話をしながら、能動的に指先運動をして、アロマキャンドルを作成している。このように、イベントが、参加者に対し、嗅覚以外の感覚刺激を付与し、且つ簡単な動作をさせるものであると、当該イベントに参加した際の記憶を容易に形成する点で好ましい。参加者Ａ５は、アロマキャンドルの芳香を知覚しつつ、該アロマキャンドルの作成を通じ、楽しさ、満足感、喜び等の快感情が喚起される〔図５（ａ）参照〕。
【００４７】
前記のイベントの後、参加者Ａ４には、贈答品２８が提供される〔図５（ｂ）参照〕。贈答品２８は、入浴剤を含んでおり、該入浴剤は、アロマキャンドルが呈する芳香と同一の芳香を有している。この入浴剤の使用状態において、参加者Ａ４は、アロマキャンドルと同一の芳香を知覚することで、プルースト効果によりイベントに参加した際の記憶や感情が効果的に喚起される〔図５（ｃ）参照〕。
【００４８】
図５に示す実施態様では、イベントを通じて参加者が作成した創作物がアロマキャンドルであったが、当該創作物は、これに限られず、芳香を有するものを特に制限なく作成することができる。前記創作物としては、例えば、アロマキャンドル、アロマポッド、石鹸、ポプリ等が挙げられる。
【００４９】
前記の「社会貢献活動や環境保護活動を象徴する芳香」について、具体的に説明する。図６に示す実施態様では、植樹活動イベントの後、参加者Ａ６，Ａ７に、前記物品として参加記念品３０を提供する。この植樹活動イベントは、参加者Ａ６，Ａ７が、他の参加者と会話をしながら、能動的に指先運動及び身体運動をして、樹木を植えている。このイベントも、図５に示す態様と同様に、参加者に対し、嗅覚以外の感覚刺激を付与し、且つ簡単な動作をさせるものである。参加者Ａ６，Ａ７は、植樹活動を通じ、楽しさ、満足感、達成感等の快感情が喚起される〔図６（ａ）参照〕。
【００５０】
前記のイベントの後、参加者には、参加記念品３０が提供される〔図６（ｂ）参照〕。参加記念品３０は、入浴剤を含んでおり、該入浴剤は、植樹活動で植えた樹木の芳香と同一の芳香、例えばグリーン調の香調の芳香を有している。この入浴剤の使用状態において、参加者Ａ６，Ａ７は、入浴剤の芳香から、樹木を想起して、植樹活動を思い出す。これにより、イベントに参加した際の記憶や感情が効果的に喚起される〔図６（ｃ）参照〕。
【００５１】
図６に示す実施態様では、社会貢献活動や環境保護活動を象徴する芳香が、植樹活動で植えた樹木を想起させる芳香であったが、当該芳香は、これに限られない。社会貢献活動や環境保護活動を象徴する芳香としては、例えば、社会貢献活動や環境保護活動を通じて提供された飲物や食品等の芳香等が挙げられる。
【００５２】
イベントに参加した際の記憶の持続性の観点から、イベントが開催された日から物品を受け取る日までの間隔は、好ましくは２８日以内、より好ましくは２１日以内、さらに好ましくは１４日以内である。前記の間隔の下限値は特に制限されず、参加者がイベント会場から退場するタイミングで、該参加者が物品を受け取ってもよい。
【００５３】
第２発明におけるイベントは、特に制限されず、例えば冠婚葬祭等の一定の規則に従って行われるイベントや、誕生日、結婚記念日、賀の祝い、桃又は端午の節句等の個人的に行われるパーティーイベント、ディナーショー、コンサート等のショーイベント、植樹活動等の啓蒙イベント、チャリティショー等の慈善事業イベント等が挙げられる。
【００５４】
上述した第２発明は、主としてイベントの主催者、又は該主催者の依頼に基づいてイベントを開催するイベント会社が実施するが、これに限られない。イベント会社としては、ブライダルサロン等のイベントの企画、運営、又はこれらの両方を行う会社や団体等が挙げられる。また、イベント会社がイベントの主催者であってもよい。その他、イベント会場を提供するホテル等の施設を運営する会社、物品を配送する配送業者、第２物品を製造販売する製造業者等が、イベントの主催者の依頼に基づいて、参加者に物品を提供するサービスとして、第２発明を実施してもよい。
【００５５】
例えば、イベント会社が、第２発明を実施する場合、以下の方法により行う。イベント会社は、イベントの企画段階で、イベントに関連する芳香を決定する。この際、物品の芳香をイベントに関連する芳香として決定してもよく、参加者が作成する創作物の芳香を、イベントに関連する芳香として決定してもよい。次いで、イベント会社は、イベントに関連する芳香と同一の芳香を有する物品を決定する。イベント会社は、該物品の製造業者に該物品を発注する。また、参加者の住所や配送日を設定した上で、前記の物品が参加者に配送されるように、物品を配送する配送業者等を手配する。配送については、物品が、イベントの開催後に、参加者に提供されるように手配する。あるいは、イベント会社は、イベント終了後に、イベント会場にて、物品を参加者に提供する。
【００５６】
次に本発明の第３及び第４発明について、その好ましい実施形態に基づき、図面を参照しながら説明する。第３及び第４発明は、上述した第２発明に、より詳細には図４に示す実施態様に好適に用いられる。第３及び第４発明の商品の提供システムはそれぞれ、イベントの主催者から参加者へ物品を提供する、商品の提供システムである。第３及び第４発明は、両者を別々に用いてもよく、両者を組み合わせて用いてもよい。本実施形態の商品の提供システム１００は、第３及び第４発明を組み合わせたものである（図７参照）。なお、第３及び第４発明におけるイベント及び物品は、上述した第２発明におけるイベント及び物品と同じ構成である。
【００５７】
本実施形態における商品の提供システム１００は、装飾品情報記憶手段５１と、物品情報記憶手段５２と、装飾品提案手段７１と、物品提案手段７２と、データベース６０とを具備している（図７参照）。
装飾品情報記憶手段５１は、イベントの会場に設置される装飾品の識別情報と、該装飾品が有する芳香の情報とを対応付けてデータベース６０に記憶する。「装飾品」とは、一般的に、イベントの演出効果を高めるためにイベント会場に設置されるものである。本実施形態において装飾品は、芳香を有している。このような装飾品としては、花卉等の植物や、アロマキャンドル等が挙げられる。装飾品の識別情報としては、装飾品の名前や商品コード、装飾品の外観に関する情報、装飾品の販売価格又はレンタル価格等の情報が挙げられる。装飾品が有する芳香の情報としては、装飾品が有する芳香の芳香成分、該芳香成分と類似する芳香を呈する他の芳香成分、該芳香の香調等の情報が挙げられる。これら装飾品の識別情報と、装飾品が有する芳香の情報とを纏めて、装飾品芳香情報ともいう。装飾品情報記憶手段５１は、データベース６０の装飾品芳香リスト６１に、装飾品芳香情報を保存する。
【００５８】
物品情報記憶手段５２は、物品の識別情報と、該物品が有する芳香の情報とを対応付けてデータベース６０に記憶する。物品の識別情報としては、物品の名前や商品コード、物品の販売価格、物品の納期等の情報が挙げられる。物品が有する芳香の情報としては、物品が有する芳香の芳香成分、該芳香成分と類似する芳香を呈する他の芳香成分、該芳香の香調等の情報が挙げられる。これら物品の識別情報と、物品が有する芳香の情報とを纏めて、物品芳香情報ともいう。物品情報記憶手段５２は、データベース６０の物品芳香リスト６２に、装飾品芳香情報を保存する。
【００５９】
本実施形態の商品の提供システム１００は、第３発明として、装飾品情報記憶手段５１と、物品情報記憶手段５２と、物品提案手段７２とを具備する。物品提案手段７２は、前記装飾品芳香情報における装飾品が有する芳香の情報と、前記物品芳香情報における物品が有する芳香の情報とに基づき、装飾品の芳香と同一の芳香を有する物品を提案する。具体的には、物品提案手段７２は、イベント会場に設置される装飾品が決定されると、データベース６０の装飾品芳香リスト６１から、該決定された装飾品に対応する装飾品芳香情報を抽出する。この抽出された装飾品芳香情報に基づき、より詳細には装飾品が有する芳香の情報に基づき、物品提案手段７２は、データベース６０の物品芳香リスト６２から、装飾品が有する芳香と同一の芳香を有する物品の物品芳香情報を抽出する。装飾品が有する芳香と同一の芳香を有する物品が複数ある場合、複数の物品それぞれについて、物品芳香情報を抽出する。物品提案手段７２は、抽出された物品芳香情報（以下、物品提案データともいう）を出力部８１によって出力し、ディスプレイ等の端末の表示部に該物品芳香情報を提示するか、あるいは所定のフォーマットで設定されたイベント企画案８２の所定の欄に該物品芳香情報を表示する。物品提案手段７２により提案される物品は複数種類であってもよい。本システム１００の利用者は、物品提案手段７２により提案された物品の中から、参加者に提供される物品を決定する。
【００６０】
本実施形態の商品の提供システム１００は、第４発明として、装飾品情報記憶手段５１と、物品情報記憶手段５２と、装飾品提案手段７１とを具備する。装飾品提案手段７１は、前記装飾品芳香情報における装飾品が有する芳香の情報と、前記物品芳香情報における物品が有する芳香の情報とに基づき、物品の芳香と同一の芳香を有する装飾品を提案する。具体的には、装飾品提案手段７１は、参加者に提供する物品が決定されると、データベース６０の物品芳香リスト６２から、該決定された物品に対応する物品芳香情報を抽出する。この抽出された物品芳香情報に基づき、より詳細には物品が有する芳香の情報に基づき、装飾品提案手段７１は、データベース６０の装飾品芳香リスト６１から、物品が有する芳香と同一の芳香を有する装飾品の装飾品芳香情報を抽出する。装飾品が有する芳香と同一の芳香を有する装飾品が複数ある場合、複数の装飾品それぞれについて、装飾品芳香情報を抽出する。装飾品提案手段７１は、抽出された装飾品芳香情報（以下、装飾品提案データともいう）を出力部８１によって出力し、前記の表示部に該物品芳香情報を提示するか、あるいは前記のイベント企画案８２の所定の欄に該装飾品芳香情報を表示する。装飾品提案手段７１により提案される装飾品は複数種類であってもよい。本システム１００の利用者は、装飾品提案手段７１により提案された装飾品の中から、会場に設置される装飾品を決定する。
【００６１】
本実施形態におけるシステム１００は、イベント会場に関する情報を記憶する会場情報記憶手段５３と、イベントに関する情報を記憶するイベント情報記憶手段５４とを具備している。会場情報記憶手段５３は、データベース６０の会場情報リスト６３に、会場名等の会場の識別情報、会場の住所、会場の定員等の、会場に関する情報が記憶する。イベント情報記憶手段５４は、データベース６０のイベント情報リスト６４に、イベント名等のイベントの識別情報、イベント開催の日時、参加者の数、イベントのコンセプト等のイベントに関する情報を記憶する。会場情報リスト６３に記憶された情報と、イベント情報リスト６４に記憶された情報とは、イベントの識別情報等によってイベント毎に対応付けられている。
【００６２】
また、本実施形態におけるシステム１００は、該システムの利用者が、物品提案手段７２によって提案された物品、又は装飾品提案手段７１によって提案された装飾品を発注するための発注情報を生成する、発注情報生成手段（不図示）を具備する。前記発注情報は、物品又は装飾品を発注するための情報であり、例えば、配送日時、配送先の住所、物品又は装飾品の発注個数等の情報が挙げられる。発注情報は、データベース６０の会場情報リスト６３やイベント情報リスト６４に記憶された情報を適宜抽出して生成される。
例えば、システム１００の利用者が、物品提案手段７２によって提案された物品を、参加者に提供する物品として決定する操作を行った場合、発注情報生成手段は、会場情報リスト６３やイベント情報リスト６４に記憶された情報に基づいて発注情報を生成し、当該発注情報を、物品の製造業者、物品の配送業者、イベント会場の運営会社、イベント会社等に適宜送信する。
【００６３】
前述した物品提案手段７２が行う処理は、図８に示すフローに従って行われる。
先ず、物品提案手段７２は、システム１００の利用者に、会場に設置される装飾品を決定する操作を行わせる（ステップＳ１）。
次に、物品提案手段７２は、物品芳香リスト６２から物品を選択し（ステップＳ２）、該物品が有する芳香と、決定された装飾品が有する芳香とが同一であるか否かを判断する（ステップＳ３）。ステップＳ３において、物品が有する芳香と、決定された装飾品が有する芳香とが同一ではないと判断した場合、物品提案手段７２は、ステップＳ２に戻り、物品芳香リスト６２から別の物品を選択する。ステップＳ３において、物品が有する芳香と、決定された装飾品が有する芳香とが同一であると判断した場合、当該物品の物品芳香情報と、当該装飾品の装飾品芳香情報とを対応付けて、物品提案データとして記憶する（ステップＳ４）。物品提案データは、データベース６０に保存してもよい。物品提案手段７２は、ステップＳ２〜ステップＳ４を、物品芳香リスト６２に記憶された全ての物品に対して行う。即ち、物品芳香リスト６２に物品が複数種類記憶されている場合、ステップＳ２〜Ｓ４を該リスト６２に記憶された物品の種類の数に応じて繰り返す。
物品芳香リスト６２に記憶された全ての物品に対し、Ｓ２〜Ｓ４が実行された場合、物品提案手段７２は、物品提案データを出力して（ステップＳ５）、当該物品提案手段７２の処理を終了する。本実施形態では、システムの利用者による決定指令が入力されるまで、表示部等に提案された物品を選択可能に表示する。これにより、会場の装飾品の決定に伴い、物品も決定される。
図８に示すフローにおいて、例えば、会場に設置される装飾品としてバラの花を決定した場合（ステップＳ１）、該バラの花と同一の芳香を有する物品が、物品芳香リスト６２から検索抽出され（ステップＳ２〜ステップＳ４）、当該抽出された物品をシステム１００の利用者に提案する（ステップＳ５）。
【００６４】
前述した装飾品提案手段７１が行う処理は、図９に示すフローに従って行われる。
先ず、装飾品提案手段７１は、システム１００の利用者に、参加者に提供される物品を決定する操作を行わせる（ステップＳ１１）。
次に、装飾品提案手段７１は、装飾品芳香リスト６１から装飾品を選択し（ステップＳ１２）、該装飾品が有する芳香と、決定された物品が有する芳香とが同一であるか否かを判断する（ステップＳ１３）。ステップＳ１３において、装飾品が有する芳香と、決定された物品が有する芳香とが同一ではないと判断した場合、装飾品提案手段７１は、ステップＳ１２に戻り、装飾品芳香リスト６１から別の装飾品を選択する。ステップＳ１３において、装飾品が有する芳香と、決定された物品が有する芳香とが同一であると判断した場合、当該装飾品の装飾品芳香情報と、当該物品の物品芳香情報とを対応付けて、装飾品提案データとして記憶する（ステップＳ１４）。装飾品提案データは、データベース６０に保存してもよい。装飾品提案手段７１は、ステップＳ１２〜ステップＳ１４を、装飾品芳香リスト６１に記憶された全ての装飾品に対して行う。即ち、装飾品芳香リスト６１に装飾品が複数種類記憶されている場合、ステップＳ１２〜Ｓ１４を該リスト６１に記憶された装飾品の種類の数に応じて繰り返す。
装飾品芳香リスト６１に記憶された全ての装飾品に対し、Ｓ１２〜Ｓ１４が実行された場合、装飾品提案手段７１は、装飾品提案データを出力して（ステップＳ１５）、当該装飾品提案手段７１の処理を終了する。本実施形態では、システムの利用者による決定指令が入力されるまで、表示部等に提案された装飾品を選択可能に表示する。これにより、参加者に提供される物品の決定に伴い、会場の装飾品も決定される。
図９に示すフローにおいて、例えば、参加者に提供される物品として「森の香り」を有する石鹸を決定した場合（ステップＳ１１）、該石鹸と同一の芳香、即ち「森の香り」を有する装飾品が、装飾品芳香リスト６１から検索抽出され（ステップＳ１２〜ステップＳ１４）、当該抽出された装飾品をシステム１００の利用者に提案する（ステップＳ１５）。
【００６５】
本実施形態の商品の提供システム１００は、前述したイベントの主催者やイベント会社の他、物品を提供するサービスを提供する店舗等の物品提供者が、通信回線を介した情報端末を操作することにより、用いられてもよい。この場合、物品提供者は、イベントの主催者やイベント会社の依頼に応じ、本実施形態のシステム１００を用いて、イベントの参加者に物品を提供する。通信回線としては、例えば、通信ケーブル、ローカルエリアネットワーク（ＬＡＮ）回線及びインターネット回線等のネットワーク回線が挙げられる。情報端末に、公知の汎用コンピュータを用いることができ、該情報端末として、例えば、デスクトップ型ＰＣ、ラップトップ型ＰＣ、ノート型ＰＣ、ネットブック型ＰＣ、ハンドヘルド型ＰＣ、タブレット型ＰＣ等のパソコン、サーバマシン、又はスマートフォン等の携帯端末等が挙げられる。
【００６６】
本実施形態の商品の提供システム１００において、装飾品情報記憶手段５１、物品情報記憶手段５２、会場情報記憶手段５３、及びイベント情報記憶手段５４はそれぞれ、前記ネットワーク回線を介して、これら記憶手段が記憶する情報を取得して、当該取得した情報をデータベース６０に自動的に蓄積するか、あるいはデータベース６０の情報を当該取得した情報に適宜更新するようになされていてもよい。装飾品芳香情報、物品芳香情報、イベント会場に関する情報、及びイベントに関する情報の更新情報は、装飾品又は物品を提供する業者や、イベント会場の運営会社、イベント会社等が所有する情報端末の端末操作者の操作によって入力される。
【００６７】
以上のように、本実施形態の商品の提供システム１００を用いると、第２発明の商品の提供方法を容易に実施することができる。なお、本実施形態の商品の提供システム１００は、上述したように第３発明及び第４発明の構成を具備しているが、当該システムの利用者は両者の何れか一方を適宜選択して利用する。
【００６８】
本発明は、上述した実施態様に何ら制限されず、適宜変更可能である。
例えば、上述した第１発明の実施態様において、贈答者は、受贈者と面識のある者であったが、受贈者と面識のない者であってもよい。
また、上述した第１発明の実施態様において、感情喚起構成は、受贈者の家族に関する事項を含むものであったが、受贈者の奉仕意欲（ボランティア精神）を満たす事項であってもよい。このような構成の例として、第２物品の売り上げの一部が、社会貢献活動に用いられる内容が掲載され、且つ芳香を有するパンフレットを、第１物品として受贈者に提供する態様が挙げられる。この場合、パンフレット（第１物品）を受け取った受贈者は、芳香を知覚しつつ、パンフレットの内容を読む。受贈者が社会貢献を行いたいと考えている場合、使命感、自己肯定感等の快感情が喚起される。そして、パンフレットと同一の芳香を有する第２物品を受け取った後、当該第２物品の使用状態において、パンフレットと同一の芳香を知覚することによって、受贈者は、社会貢献を行いたいことを思い出し、前記の快感情が喚起される。これにより、受贈者に対し、第２物品の購買意欲を向上させるとともに、第２物品の使用を促進させる。また、前記の快感情がきっかけとなって、受贈者自身が第２物品を購入した場合、購入した第２物品を受贈者が使用する際に、第２物品が呈する芳香によって、受贈者は、社会貢献を行ったという達成感、自己肯定感等の快感情が喚起される。
【実施例】
【００６９】
以下、本発明を実施例により更に具体的に説明するが、本発明は斯かる実施例に限定されるものではない。
【００７０】
〔芳香調整方法の試験〕
後述する実施例において、第１物品が有する芳香が、使用状態における第２物品の芳香と同じになるように調整するため、芳香の調整方法を検討した。先ず、複数のビーズ状の保持体（セルロースビーズ、登録商標「ビスコパール」、レンゴー株式会社製）１ｇと、該保持体を収容する球状の収容部とを備えた保持部を作製した。保持体には、花王株式会社製、商品名「バブ オリエンタルローズの香り」で用いられている香料を付与した。具体的には、香料とプロピレングリコールとの質量混合比を適宜変更して、該香料をプロピレングリコールに溶解させた芳香組成物を調整した後、該香料組成物を、保持体１ｇ当り０．１ｇ添加することで、該保持体に香料を付与した。
【００７１】
次いで、保持体から知覚される芳香と、第２物品である入浴剤の使用状態における該入浴剤の芳香とが同じであるか否かを評価するため、官能評価試験を実施した。入浴剤は、前述の花王株式会社製の入浴剤を用いた。この入浴剤１錠を、浴水１５０Ｌに溶解させ、１０分後の浴室内の香りを評価した。官能評価は専門パネラー２名の協議で行った。パネラーは、入浴剤の芳香を３分間嗅いだ後に、賦香されていない空気を３分間嗅ぎ、続けて保持体の芳香を３分嗅いだ。この際、パネラーは、保持体１ｇをＰＳ  Ｎｏ．６のサンプル管（東京硝子器械株式会社製）に入れた状態で、該保持体の芳香を確認した。次いで、保持体の芳香と使用状態における入浴剤の芳香との類似度を、１〜５の５段階尺度で評価した。この尺度が高いほど、芳香の類似度が高いことを意味する。その結果、香料とプロピレングリコールとの質量混合比（香料：プロピレングリコール）を７：３とした場合に、前記の類似度が最も高かった。
【００７２】
〔実施例１〕
子どもと離れて暮らす、５０〜８０歳代の女性２２名を受贈者とした。
また、第１物品として、受贈者の子どもの写真と、受贈者に対する子どものメッセージが掲載されたアルバムを作成した。アルバムとして、見開きの２ページ毎に、写真とメッセージが掲載された、全３６ページのものを用意した。このアルバムは、各ページが部分的に円状に切り抜かれており、その切り抜かれた部分に、前述した〔芳香調整方法の試験〕において作成した保持部が設けられている。即ち、香料（「バブ オリエンタルローズの香り」で用いられている香料）とプロピレングリコールとの質量混合比（香料：プロピレングリコール）を７：３とした芳香組成物を保持体に付与した。収容部には前記保持体を１ｇ収容した。
第２物品として、前述の花王株式会社製の入浴剤（バブ オリエンタルローズの香り）を用意した。
【００７３】
前述した図１に示す実施態様と同様に、受贈者に、第１物品であるアルバムを提供し、その後、第２物品である入浴剤（１４日分）を提供した。１４日分の入浴剤が、アルバムが受贈者に届いた日の１４日後に、受贈者に到達した。
【００７４】
〔受贈者の気分等の評価〕
第１物品を受け取る前、及び第２物品を受け取って２週間使用した後のそれぞれにおける、受贈者の気分、及び入浴行為に対する印象について、受贈者にアンケートを行った。受贈者の気分については、直近２週間（１４日間）の生活を振り返って、「全体的に良い気分で過ごすことが多かった」という項目に対し、１：とても当てはまる、２：やや当てはまる、３：あまり当てはまらない、４：全く当てはまらない、の４段階で評価をしてもらった。入浴行為に対する印象については、直近２週間（１４日間）の生活を振り返って、「あなたにとって、普段お風呂に入ることはどの程度楽しみですか、または億劫ですか？」という問いに対し、１：楽しみに感じている、２：どちらかと言えば楽しみに感じている、３：どちらでもない、４：どちらかと言えば億劫に感じている、５億劫に感じている、の５段階で評価をしてもらった。これらの評価は、第１物品を受け取る前においても実施しており、第１物品を受け取る前の評価結果と、第２物品を受け取って該第２物品を２週間使用した後の評価結果との比較を行った。これらの評価結果を図１０（ａ）及び（ｂ）に示す。
図１０、及び後述する図１１に示す各評価結果は、受贈者全員の評価点から集計した平均値である。図１０、及び後述する図１１には、第１物品を受け取る前の評価結果と、第２物品を受け取って該第２物品を２週間使用した後の評価結果（図中、「第２物品使用後」と示す）との統計的な差を、対応のあるｔ検定によって確認した結果も併せて示してある。
【００７５】
〔受贈者の健康面の評価〕
第１物品を受け取る前、及び第２物品を受け取って２週間使用した後のそれぞれにおける、受贈者の睡眠と疲労の蓄積について評価をしてもらった。睡眠の評価については、直近２週間（１４日間）の生活を振り返って、「よく眠れたと実感できることが多かった」という項目に対し、また、疲労の蓄積の評価ついては、直近２週間（１４日間）の生活を振り返って、「疲れが取れないと感じることが多かった」という項目に対しそれぞれ、１：とても当てはまる、２：やや当てはまる、３：あまり当てはまらない、４：全く当てはまらない、の４段階で評価をしてもらった。これらの評価結果を図１１（ａ）及び（ｂ）に示す。
【００７６】
〔比較例１〕
子どもと離れて暮らす、５０〜８０歳代の女性２０名を受贈者とした。
保持部の保持体に付与する香料を、入浴剤〔商品名「バブ  かりん生姜の香り」、花王株式会社製〕で用いられている香料に代えた以外は、実施例１と同様の方法によって、受贈者に、第１物品であるアルバムを提供し、その後、第２物品である入浴剤（バブ オリエンタルローズの香り）を提供した。比較例１についても、前記の〔受贈者の気分等の評価〕及び〔受贈者の健康面の評価〕を行った。比較例１における〔受贈者の気分等の評価〕の評価結果を図１０（ａ）及び（ｂ）に示すとともに、比較例１における〔受贈者の健康面の評価〕の評価結果を図１１（ａ）及び（ｂ）に示す。
【００７７】
図１０（ａ）に示すように、実施例１において、受贈者は、第１物品を受け取る前に比して、第２物品を受け取った後の方が気分が良好となっている。また、実施例１では、第１物品を受け取る前に比して第２物品を使用した後の方が、入浴行為に対する印象が、ポジティブなものとなった〔図１０（ｂ）参照〕。これらの結果は、実施例１において、第１物品を受け取り、且つ第２物品を受け取って使用したことによって、受贈者の快感情が喚起されたことに起因すると考えられる。一方、比較例１では、第２物品を受け取って使用した後の気分は向上せず、入浴行為に対する印象が、実施例１ほどポジティブなものにならなかった〔図１０（ａ）及び（ｂ）参照〕。
【００７８】
健康面の評価について、実施例１では、第１物品を受け取る前に比して第２物品を受け取って使用した後の方が、よく眠れたという実感が高いとともに、疲れが取れないという実感が低かった〔図１１（ａ）及び（ｂ）参照）。これらの結果は、実施例１において、受贈者の快感情が喚起されたことにより、日々の生活に活力を感じ易くなったことに起因すると考えられる。一方、比較例１では、第１物品を受け取る前に比して第２物品を受け取った後の方が、よく眠れたという実感、及び疲れが取れないという実感に変化が見られなかった〔図１１（ａ）及び（ｂ）参照）。
【符号の説明】
【００７９】
Ａ１〜Ａ３  受贈者
Ａ４〜Ａ７  参加者
１２ａ  蓋体
１２ｂ  容器本体部
２０、２２、２４、２８  贈答品
２５、２７  衣料用洗剤
２６  引出物
３０  参加記念品
５１  装飾品情報記憶手段
５２  物品情報記憶手段
５３  会場情報記憶手段
５４  イベント情報記憶手段
６０  データベース
６１  装飾品芳香リスト
６２  物品芳香リスト
６３  会場情報リスト
６４  イベント情報リスト
７１  装飾品提案手段
７２  物品提案手段
１００  商品の提供システム
【図１】
2020107197.tif 000003
【図２】
2020107197.tif 000004
【図３】
2020107197.tif 000005
【図４】
2020107197.tif 000006
【図５】
2020107197.tif 000007
【図６】
2020107197.tif 000008
【図７】
2020107197.tif 000009
【図８】
2020107197.tif 000010
【図９】
2020107197.tif 000011
【図１０】
2020107197.tif 000012
【図１１】
2020107197.tif 000013